(57)【要約】【課題】無線によりデータを送受信する際にも、情報漏洩を強固に防止可能な技術を提供する。【解決手段】本発明が適用された通信システムは、公衆電話回線網に繋がる通信ＢＯＸ１０と、この通信ＢＯＸと無線ＬＡＮ規格により無線通信可能な複合機３０と、独自プロトコルにより上記通信ＢＯＸと無線通信可能なコードレス電話機５０とを備える。通信ＢＯＸは、公衆電話回線網を通じて外部ファクシミリ装置からファクシミリデータを受信すると、このファクシミリデータを暗号化して、当該暗号化データを無線ＬＡＮにより複合機に送信する。一方、コードレス電話機に上記独自プロトコルにより、復号キーを送信する。コードレス電話機は、通信ＢＯＸから受信した復号キーを表示出力する。そして、表示出力された復号キーは、ユーザの手入力により、複合機に入力される。即ち、複合機は、通信ＢＯＸから受信した暗号化データを、この復号キーで復号化する。【選択図】図１
2010239451.tif 000002
【特許請求の範囲】
【請求項１】
送信装置と、前記送信装置から送信されるデータを受信する第一及び第二の受信装置と、を備えた通信システムであって、
前記送信装置は、
予め定められた第一の無線通信方式にて、データ送信する第一送信手段と、
予め定められた前記第一の無線通信方式とは異なる第二の無線通信方式にて、データ送信する第二送信手段と、
前記第一の受信装置への送信対象データを暗号化する暗号化手段と、
前記第一送信手段に、前記暗号化手段により暗号化された送信対象データを、前記第一の受信装置に向けて送信させる第一送信制御手段と、
前記第二送信手段に、前記暗号化手段により暗号化された送信対象データを復号化するための復号キーを、前記第二の受信装置に向けて送信させる第二送信制御手段と、
を備え、
前記第一の受信装置は、
前記送信装置が備える第一送信手段から送信されるデータを受信可能な受信手段と、
入力インタフェースを通じて、前記復号キーを取得するキー取得手段と、
前記キー取得手段により取得された前記復号キーに基づき、自装置の前記受信手段が受信したデータを復号化する復号化手段と、
前記復号化手段により復号化されたデータを記憶するデータ記憶手段と、
を備え、
前記第二の受信装置は、
前記送信装置が備える第二送信手段から送信されるデータを受信可能な受信手段と、
自装置の前記受信手段が前記送信装置から受信した復号キーを、当該第二の受信装置を使用するユーザに向けて表示出力又は音声出力する報知手段と、
を備えることを特徴とする通信システム。
【請求項２】
第一及び第二の送信装置と、前記第一及び第二の送信装置から送信されるデータを受信する受信装置と、を備えた通信システムであって、
前記第一の送信装置は、
予め定められた第一の無線通信方式にて、データ送信する送信手段と、
前記受信装置への送信対象データを暗号化する暗号化手段と、
自装置の前記送信手段に、前記暗号化手段により暗号化された送信対象データを、前記受信装置に向けて送信させる送信制御手段と、
前記暗号化手段により暗号化された送信対象データを復号化するための復号キーを、当該第一の送信装置を使用するユーザに向けて表示出力又は音声出力する報知手段と、
を備え、
前記第二の送信装置は、
予め定められた前記第一の無線通信方式とは異なる第二の無線通信方式にて、データ送信する送信手段と、
入力インタフェースを通じて前記復号キーを、取得するキー取得手段と、
自装置の前記送信手段に、前記キー取得手段が取得した前記復号キーを、前記受信装置に向けて送信させる送信制御手段と、
を備え、
前記受信装置は、
前記第一の送信装置から送信されるデータを受信可能な第一受信手段と、
前記第二の送信装置から送信されるデータを受信可能な第二受信手段と、
前記第一受信手段が前記第一の送信装置から受信したデータを、前記第二受信手段が前記第二の送信装置から受信した復号キーに基づき、復号化する復号化手段と、
前記復号化手段により復号化されたデータを記憶するデータ記憶手段と、
を備えること
を特徴とする通信システム。
【請求項３】
送信装置と、前記送信装置から送信されるデータを受信する受信装置と、を備えた通信システムであって、
前記送信装置は、
予め定められた第一の無線通信方式にて、データ送信する第一送信手段と、
予め定められた前記第一の無線通信方式とは異なる第二の無線通信方式にて、データ送信する第二送信手段と、
前記受信装置への送信対象データを暗号化する暗号化手段と、
前記第一送信手段に、前記暗号化手段により暗号化された送信対象データを、前記受信装置に向けて送信させる第一送信制御手段と、
前記暗号化手段により暗号化された送信対象データの送信毎に、前記第二送信手段に、前記暗号化手段により暗号化された送信対象データを復号化するための復号キーを、前記受信装置に向けて送信させる第二送信制御手段と、
を備え、
前記受信装置は、
前記第一送信手段から送信されるデータを受信可能な第一受信手段と、
前記第二送信手段から送信されるデータを受信可能な第二受信手段と、
前記第一受信手段が前記送信装置から受信したデータを、前記第二受信手段が前記送信装置から受信した復号キーに基づき、復号化する復号化手段と、
前記復号化手段により復号化されたデータを記憶するデータ記憶手段と、
を備えることを特徴とする通信システム。
【請求項４】
前記送信装置は、外部のファクシミリ装置と通信可能なファクシミリ通信手段を備え、
前記送信装置が備える暗号化手段は、前記送信対象データとしての前記ファクシミリ通信手段が外部のファクシミリ装置から受信したファクシミリデータを暗号化する手段であること
を特徴とする請求項１又は請求項３記載の通信システム。
【請求項５】
前記受信装置は、
外部のファクシミリ装置と通信可能なファクシミリ通信手段と、
前記ファクシミリ通信手段に、前記復号化手段により復号化されて前記データ記憶手段に記憶されたデータを、ファクシミリ送信させるファクシミリ送信制御手段と、
を備えること
を特徴とする請求項２又は請求項３記載の通信システム。
【請求項６】
前記第一の無線通信方式は、直接拡散方式により無線通信を行う方式であり、
前記第二の無線通信方式は、周波数ホッピング方式により無線通信を行う方式
であることを特徴とする請求項１〜請求項５のいずれかに記載の通信システム。
【請求項７】
予め定められた第一の無線通信方式にて、データ送信する第一送信手段と、
予め定められた前記第一の無線通信方式とは異なる第二の無線通信方式にて、データ送信する第二送信手段と、
前記第一送信手段に送信させる送信対象データを暗号化する暗号化手段と、
前記第一送信手段に、前記暗号化手段により暗号化された送信対象データを、前記第一の無線通信方式にて無線通信可能な受信装置に向けて送信させる第一送信制御手段と、
前記暗号化手段により暗号化された送信対象データの送信毎に、前記第二送信手段に、前記暗号化手段により暗号化された送信対象データを復号化するための復号キーを、前記第二の無線通信方式にて無線通信可能な受信装置に向けて送信させる第二送信制御手段と
、
を備えることを特徴とする通信装置。
【請求項８】
外部のファクシミリ装置と通信可能なファクシミリ通信手段を備え、
前記暗号化手段は、前記送信対象データとして、前記ファクシミリ通信手段が外部のファクシミリ装置から受信したファクシミリデータを暗号化する手段であること
を特徴とする請求項７記載の通信装置。
【請求項９】
暗号化データを、予め定められた第一の無線通信方式にて送信する送信装置、から送信される前記暗号化データを受信可能な第一受信手段と、
前記暗号化データを復号化するための復号キーを、前記第一の無線通信方式とは異なる予め定められた第二の無線通信方式にて送信する送信装置、から送信される前記復号キーを受信可能な第二受信手段と、
前記第一受信手段が受信した前記暗号化データを、当該暗号化データの受信に伴って、前記第二受信手段が受信した復号キーに基づき、復号化する復号化手段と、
前記復号化手段により復号化されたデータを記憶するデータ記憶手段と、
を備えることを特徴とする通信装置。
【請求項１０】
外部のファクシミリ装置と通信可能なファクシミリ通信手段と、
前記ファクシミリ通信手段に、前記復号化手段により復号化されて前記データ記憶手段に記憶されたデータを、ファクシミリ送信させるファクシミリ送信制御手段と、
を備えること
を特徴とする請求項９記載の通信装置。
【請求項１１】
前記第一の無線通信方式は、直接拡散方式により無線通信を行う方式であり、
前記第二の無線通信方式は、周波数ホッピング方式により無線通信を行う方式
であることを特徴とする請求項７〜請求項１０のいずれかに記載の通信装置。
【発明の詳細な説明】
【技術分野】
【０００１】
本発明は、無線によりデータを送受信する通信システム及び通信装置に関する。
【背景技術】
【０００２】
従来、通信システムとしては、パーソナルコンピュータ等の利用者端末と、プリンタ装置などの周辺機器とが、ＬＡＮ（ローカルエリアネットワーク）を通じて通信可能に接続された通信システムが知られている。また、周辺機器としては、プリンタ機能、スキャナ機能、コピー機能及びファクシミリ機能等を備える多機能装置が知られている。
【０００３】
この他、従来システムとしては、ファクシミリ通信に必要なＮＣＵ（Network Control Unit）及びモデムを、多機能装置から分離して、多機能装置とは独立した通信装置に内蔵すると共に、この通信装置と多機能装置とをＬＡＮに接続して、多機能装置が生成する送信対象のファクシミリデータを、ＬＡＮ及び上記通信装置経由で、公衆電話回線網に送出するようにした通信システムが知られている（特許文献１参照）。
【０００４】
この通信システムによれば、電話回線に接続する必要のあるＮＣＵが多機能装置とは独立した上記通信装置に設けられているため、ＮＣＵ及びモデムを内蔵する多機能装置を用いる場合と比較して、多機能装置に電話回線を接続する必要がなく、多機能装置の設置自由度が向上するといった利点がある。
【０００５】
この他、上記種類の通信システムとしては、ＮＣＵ等を内蔵する上記通信装置と通信可能なディジタルコードレス電話機（子機）を備えるシステムであって、ディジタルコードレス電話機から入力される指令を、上記通信装置を介して、多機能装置に入力することにより、ディジタルコードレス電話機を多機能装置に対するリモートコントローラとして機能させるようにした通信システムが知られている。
【先行技術文献】
【特許文献】
【０００６】
【特許文献１】特開２００７−０８９０４０号公報
【発明の概要】
【発明が解決しようとする課題】
【０００７】
ところで、本発明者は、上記通信装置と多機能装置とを結ぶＬＡＮとして、有線ＬＡＮではなく無線ＬＡＮを採用することで、多機能装置の設置自由度を更に向上させることを考えている。しかしながら、無線ＬＡＮでは、セキュリティが低く通信データが悪意のものに見られる可能性がある。
【０００８】
即ち、ユーザが公衆電話回線網を通じてファクシミリデータを送受信する際には、公衆電話回線網の高い守秘性を期待しているのが通常であるが、公衆電話回線網を介して受信したファクシミリデータを、無線ＬＡＮを通じて、上記多機能装置等に転送すれば、その転送過程で、情報漏洩が生じる可能性がある。
【０００９】
本発明は、こうした問題に鑑みなされたものであり、無線によりデータを送受信する際にも、情報漏洩を強固に防止することが可能な技術を提供することを目的とする。
【課題を解決するための手段】
【００１０】
かかる目的を達成するためになされた第一の発明（請求項１）は、送信装置と、送信装
置から送信されるデータを受信する第一及び第二の受信装置と、を備えた通信システムであって、各装置が次のように構成されたものである。
【００１１】
送信装置は、予め定められた第一の無線通信方式にて、データ送信する第一送信手段と、予め定められた第一の無線通信方式とは異なる第二の無線通信方式にて、データ送信する第二送信手段と、第一の受信装置への送信対象データを暗号化する暗号化手段と、第一送信手段に、暗号化手段により暗号化された送信対象データを、第一の受信装置に向けて送信させる第一送信制御手段と、第二送信手段に、暗号化手段により暗号化された送信対象データを復号化するための復号キーを、第二の受信装置に向けて送信させる第二送信制御手段と、を備える。
【００１２】
一方、第一の受信装置は、送信装置が備える第一送信手段から送信されるデータを受信可能な受信手段と、入力インタフェースを通じて、復号キーを取得するキー取得手段と、キー取得手段により取得された復号キーに基づき、自装置の受信手段が受信したデータを復号化する復号化手段と、復号化手段により復号化されたデータを記憶するデータ記憶手段と、を備える。
【００１３】
この他、第二の受信装置は、送信装置が備える第二送信手段から送信されるデータを受信可能な受信手段と、自装置の受信手段が送信装置から受信した復号キーを、当該第二の受信装置を使用するユーザに向けて表示出力又は音声出力する報知手段と、を備える。
【００１４】
即ち、この通信システムでは、送信装置から第一の受信装置へ送信するデータを暗号化して守秘（秘匿）性を高めると共に、暗号化データの送信時に用いられる無線通信方式とは異なる無線通信方式にて、暗号化データを復号化するための復号キーを、送信装置から第二の受信装置へ送信することで、暗号化データが漏洩しても、暗号化データが解読される可能性を小さくしている。
【００１５】
また、この通信システムでは、復号キーを、暗号化データ送信元の送信装置から第二の受信装置へと送信して、第二の受信装置を介してユーザに報知し、第一の受信装置では、入力インタフェースを通じて入力された復号キーを用いて、送信装置から受信したデータを復号化する構成を採用することにより、復号キーを固定キーとしなくても済むようにしている。即ち、この通信システムでは、暗号化データ毎に異なる復号キーを設定しても、復号キーを迅速に正当ユーザに伝えて、第一の受信装置で、暗号化データを正常に復号できるようにしている。
【００１６】
従って、この通信システムによれば、暗号化データ毎に異なる復号キーを設定することで、復号キーを固定とする従来システムよりも、送信装置から第一の受信装置へ守秘性高くデータを送信することができる。この結果、本発明によれば、無線通信による情報漏洩を強固に防止することができる。
【００１７】
尚、復号キーの漏洩を強固に防止するためには、第二の無線通信方式に、第一の無線通信方式よりも守秘性の高い無線通信方式を採用する必要があるが、第二の無線通信方式は、製品毎やメーカ毎の独自仕様（独自プロトコル）とされるのが好ましい。
【００１８】
通信方式を独自仕様とすれば、仕様を開示しない対応を採ることで、復号キーを送信装置から第二の受信装置へ送信する際、復号キーが漏洩する可能性を極力抑えることができる。また、第二の無線通信方式では、復号キーを送受信する程度であるため、独自プロトコルを採用しても、低コストに、守秘性の高い通信システムを構築することができる。
【００１９】
また、上記目的を達成するためになされた第二の発明（請求項２）は、第一及び第二の
送信装置と、第一及び第二の送信装置から送信されるデータを受信する受信装置と、を備えた通信システムであって、各装置が次のように構成されたものである。
【００２０】
即ち、第一の送信装置は、予め定められた第一の無線通信方式にて、データ送信する送信手段と、受信装置への送信対象データを暗号化する暗号化手段と、自装置の送信手段に、暗号化手段により暗号化された送信対象データを、受信装置に向けて送信させる送信制御手段と、暗号化手段により暗号化された送信対象データを復号化するための復号キーを、第一の送信装置を使用するユーザに向けて表示出力又は音声出力する報知手段と、を備える。
【００２１】
また、第二の送信装置は、予め定められた第一の無線通信方式とは異なる第二の無線通信方式にて、データ送信する送信手段と、入力インタフェースを通じて復号キーを取得するキー取得手段と、自装置の送信手段に、キー取得手段が取得した復号キーを、受信装置に向けて送信させる送信制御手段と、を備える。
【００２２】
この他、受信装置は、第一の送信装置から送信されるデータを受信可能な第一受信手段と、第二の送信装置から送信されるデータを受信可能な第二受信手段と、第一受信手段が第一の送信装置から受信したデータを、第二受信手段が第二の送信装置から受信した復号キーに基づき、復号化する復号化手段と、復号化手段により復号化されたデータを記憶するデータ記憶手段と、を備える。
【００２３】
このように構成された通信システムによれば、第一の発明と同様の理由により、無線により第一の送信装置から受信装置へ送信するデータの漏洩を強固に防止することができる。
【００２４】
また、上記目的を達成するためになされた第三の発明（請求項３）は、送信装置と、送信装置から送信されるデータを受信する受信装置と、を備えた通信システムであって、各装置が次のように構成されたものである。
【００２５】
送信装置は、予め定められた第一の無線通信方式にて、データ送信する第一送信手段と、予め定められた第一の無線通信方式とは異なる第二の無線通信方式にて、データ送信する第二送信手段と、受信装置への送信対象データを暗号化する暗号化手段と、第一送信手段に、暗号化手段により暗号化された送信対象データを、受信装置に向けて送信させる第一送信制御手段と、暗号化手段により暗号化された送信対象データの送信毎に、第二送信手段に、暗号化手段により暗号化された送信対象データを復号化するための復号キーを、受信装置に向けて送信させる第二送信制御手段と、を備える。
【００２６】
また、受信装置は、第一送信手段から送信されるデータを受信可能な第一受信手段と、第二送信手段から送信されるデータを受信可能な第二受信手段と、第一受信手段が送信装置から受信したデータを、第二受信手段が送信装置から受信した復号キーに基づき、復号化する復号化手段と、復号化手段により復号化されたデータを記憶するデータ記憶手段と、を備える。
【００２７】
このように構成された通信システムによれば、暗号化データの送信毎に、暗号化データに対応する復号キーを、暗号化データの送信先装置に送信するので、守秘性高く送信装置から受信装置に対してデータを送信することができる。また、この通信システムによれば、ユーザにとって復号キーの入力操作が必要ないので、利便性を向上させることができる。
【００２８】
尚、第一及び第三の発明に対応する通信システムにおいて、送信装置は、外部のファク
シミリ装置と通信可能なファクシミリ通信手段を備える構成にすることができ、暗号化手段は、送信対象データとしてのファクシミリ通信手段が外部のファクシミリ装置から受信したファクシミリデータを暗号化する手段として構成することができる（請求項４）。
【００２９】
このように構成された通信システムによれば、送信装置が、ファクシミリ通信手段を通じて外部のファクシミリ装置から受信したファクシミリデータを、守秘性高く、受信装置に送信することができる。従って、この発明によれば、多機能装置のＮＣＵ及びモデムを分離して、多機能装置を電話回線網に接続される主装置と、主装置と無線通信可能な副装置から構成する場合に、副装置の設置自由度を向上させつつ、ファクシミリデータを守秘性高く副装置に転送することができる。
【００３０】
また、第二及び第三の発明に対応する通信システムにおいて、受信装置は、外部のファクシミリ装置と通信可能なファクシミリ通信手段と、ファクシミリ通信手段に、復号化手段により復号化されてデータ記憶手段に記憶されたデータを、ファクシミリ送信させるファクシミリ送信制御手段と、を備えた構成にすることができる（請求項５）。
【００３１】
このように構成された通信システムによれば、多機能装置のＮＣＵ及びモデムを分離して、多機能装置を電話回線網に接続される主装置と、主装置と無線通信可能な副装置から構成する場合、副装置の設置自由度を向上させつつ、ファクシミリデータを守秘性高く副装置から外部のファクシミリ装置へと送信することができる。
【００３２】
尚、周知の無線ＬＡＮでは、ＩＥＥＥ８０２．１１ｘ無線通信方式が採用されており、この無線通信方式では、スペクトル拡散方式の一種である直接拡散方式により無線通信が行われている。一方、他のスペクトル拡散方式としては、周波数ホッピング方式が知られており、周波数帯域を変更しながら通信を行う周波数ホッピング方式は、一定の周波数帯域を常時使用して通信を行う直接拡散方式に対し、守秘性に優れている。
【００３３】
従って、上記通信システムにおいて、第一の無線通信方式には、直接拡散方式により無線通信を行う無線通信方式を採用し、第二の無線通信方式には、周波数ホッピング方式により無線通信を行う無線通信方式を採用するのが好ましい（請求項６）。
【００３４】
第一の無線通信方式として普及型の無線ＬＡＮ規格に対応する無線通信方式を採用し、第二の無線通信方式として、独自仕様の周波数ホッピング方式による無線通信方式を採用すれば、当該通信システムを構成する送信装置及び受信装置を、既存の無線ネットワークに簡単に組み込むことができると共に、送信装置−受信装置間では、セキュリティ高く復号キーを送受信することができ、結果として、無線ＬＡＮを通じた暗号化データについてのデータ漏洩を強固に防止することができる。
【００３５】
また、第四の発明（請求項７）は、通信装置であって、予め定められた第一の無線通信方式にて、データ送信する第一送信手段と、予め定められた第一の無線通信方式とは異なる第二の無線通信方式にて、データ送信する第二送信手段と、第一送信手段に送信させる送信対象データを暗号化する暗号化手段と、第一送信手段に、暗号化手段により暗号化された送信対象データを、第一の無線通信方式にて無線通信可能な受信装置に向けて送信させる第一送信制御手段と、暗号化手段により暗号化された送信対象データの送信毎に、第二送信手段に、暗号化手段により暗号化された送信対象データを復号化するための復号キーを、第二の無線通信方式にて無線通信可能な受信装置に向けて送信させる第二送信制御手段と、を備えることを特徴とする。
【００３６】
この通信装置を用いれば、第一及び第三の発明に対応する通信システムを構築することができる。尚、この通信装置は、外部のファクシミリ装置と通信可能なファクシミリ通信
手段を備え、送信対象データとして、ファクシミリ通信手段が外部のファクシミリ装置から受信したファクシミリデータを暗号化する構成にすることができる（請求項８）。
【００３７】
また、第五の発明（請求項９）は、通信装置であって、予め定められた第一の無線通信方式にて暗号化データを送信する送信装置、から送信される暗号化データを受信可能な第一受信手段と、第一の無線通信方式とは異なる予め定められた第二の無線通信方式にて上記暗号化データを復号化するための復号キーを送信する送信装置、から送信される復号キーを受信可能な第二受信手段と、第一受信手段が受信した暗号化データを、当該暗号化データの受信に伴って、第二受信手段が受信した復号キーに基づき、復号化する復号化手段と、復号化手段により復号化されたデータを記憶するデータ記憶手段と、を備えることを特徴とする。
【００３８】
この通信装置を用いれば、第二及び第三の発明に対応する通信システムを構成することができる。尚、この通信装置は、外部のファクシミリ装置と通信可能なファクシミリ通信手段と、ファクシミリ通信手段に、復号化手段により復号化されてデータ記憶手段に記憶されたデータを、ファクシミリ送信させるファクシミリ送信制御手段と、を備えた構成にすることができる（請求項１０）。
【００３９】
また、上記通信装置において、第一の無線通信方式には、直接拡散方式により無線通信を行う方式を採用することができ、第二の無線通信方式には、周波数ホッピング方式により無線通信を行う方式を採用することができる（請求項１１）。
【図面の簡単な説明】
【００４０】
【図１】通信システム１の構成を表すブロック図である。
【図２】ＦＡＸ受信時の通信態様を表したラダーチャートである。
【図３】制御部２０が実行する受信対応処理を表すフローチャートである。
【図４】制御部４０が実行する転送受付処理を表すフローチャートである。
【図５】制御部６０が実行するキー受信表示処理を表すフローチャートである。
【図６】ＦＡＸ送信時の通信態様を表したラダーチャートである。
【図７】制御部４０が実行するファクシミリデータ転送処理を表すフローチャートである。
【図８】制御部６０が実行するキー入力受付処理を表すフローチャートである。
【図９】制御部２０が実行する転送受付処理を表すフローチャートである。
【図１０】変形例の通信システム１００の構成を表すブロック図である。
【図１１】変形例におけるＦＡＸ受信時及びＦＡＸ送信時の通信態様を表す図である。
【図１２】制御部４０が実行する変形例の転送受付処理を表すフローチャートである。
【図１３】制御部４０が実行する変形例のファクシミリデータ転送処理を表すフローチャートである。
【発明を実施するための形態】
【００４１】
以下に本発明の実施例について、図面と共に説明する。
（１）通信システム１の概要
図１は、本発明が適用された通信システム１の構成を表すブロック図である。本実施例の通信システム１は、公衆電話回線網（ＰＳＴＮ）に接続された通信装置である通信ＢＯＸ１０と、通信ＢＯＸ１０と無線通信可能なディジタル複合機（多機能装置）３０と、同じく通信ＢＯＸ１０と無線通信可能なコードレス電話機５０と、を備える。
【００４２】
通信ＢＯＸ１０は、公衆電話回線網に接続されたＮＣＵ１１と、ＮＣＵ１１を通じて外
部ファクシミリ装置３とファクシミリ通信可能なＦＡＸモデム１２と、無線ＬＡＮを構成する各ノードと無線通信可能（即ち、無線ＬＡＮ通信可能）な通信インタフェースであるＷＬＡＮ通信部１４と、コードレス電話機５０と無線通信可能な通信インタフェースであるＤＣＬ通信部１５と、操作キー群を備えてユーザ操作可能な入力インタフェースとして機能する操作部１７と、液晶ディスプレイ等で構成される表示部１９と、制御部２０とを備える。
【００４３】
また、制御部２０は、ＣＰＵ２１と、ＣＰＵ２１が実行する各種プログラムを記憶するＲＯＭ２３と、プログラム実行時に作業領域として使用されるＲＡＭ２５とを備える。尚、通信ＢＯＸ１０は、メモリバックアップ用の電池（図示せず）を備え、ＲＡＭ２５に保存されたデータを、通信ＢＯＸ１０の電源オフ後にも、保持可能な構成にされている。
【００４４】
この通信ＢＯＸ１０の制御部２０は、ＣＰＵ２１でのプログラムの実行により、外部ファクシミリ装置３からＮＣＵ１１及びＦＡＸモデム１２を通じて受信したファクシミリデータをＲＡＭ２５に保存し、操作部１７を通じてユーザから入力される転送指示に従って、上記外部ファクシミリ装置３から受信したファクシミリデータを暗号化してなる暗号化データを、ＷＬＡＮ通信部１４を通じて複合機３０に送信する。また、暗号化データの送信毎に、当該暗号化データを復号化するための復号キーを、ＤＣＬ通信部１５を通じてコードレス電話機５０に送信する。
【００４５】
この他、制御部２０は、ＷＬＡＮ通信部１４を通じて複合機３０から受信した送信対象のファクシミリデータが暗号化されてなる暗号化データを、ＤＣＬ通信部１５を通じてコードレス電話機５０から受信した復号キーにより復号化し、復号化後のファクシミリデータを、このファクシミリデータが示す電話番号先の外部ファクシミリ装置３に、ＦＡＸモデム１２及びＮＣＵ１１を通じて送信する。
【００４６】
一方、複合機３０は、原稿を光学的に読み取る読取部３１と、シート（用紙）に画像を形成する印刷部３２と、通信ＢＯＸ１０が備えるＷＬＡＮ通信部１４と同一の通信インタフェースであって通信ＢＯＸ１０と無線通信可能なＷＬＡＮ通信部３４と、操作キー群を備えてユーザ操作可能な入力インタフェースとして機能する操作部３７と、液晶ディスプレイ等で構成される表示部３９と、制御部４０とを備える。
【００４７】
また、制御部４０は、ＣＰＵ４１と、ＣＰＵ４１が実行する各種プログラムを記憶するＲＯＭ４３と、ＣＰＵ４１によるプログラム実行時に作業領域として使用されるＲＡＭ４５と、を備える。尚、複合機３０も、通信ＢＯＸ１０と同様、メモリバックアップ用の電池（図示せず）を備え、ＲＡＭ４５に記憶するデータを、複合機３０の電源オフ後にも、保持可能な構成にされている。
【００４８】
この複合機３０の制御部４０は、ＣＰＵ４１でのプログラムの実行により、通信ＢＯＸ１０からＷＬＡＮ通信部３４を通じて上記暗号化データを受信すると共に、操作部３７を通じて暗号化データを復号化するための復号キーを取得し、取得した復号キーで上記受信した暗号化データを復号化する処理を行う。そして、復号化により得られたファクシミリデータを、ＲＡＭ４５に保存し、操作部３７を通じてユーザからファクシミリデータの印刷指示が入力されると、印刷指示されたファクシミリデータをＲＡＭ４５から読み出して、このファクシミリデータを、印刷部３２を通じて印刷出力する処理を行う。
【００４９】
この他、制御部４０は、操作部３７を通じて原稿の読取指示が入力されると、読取部３１を通じて原稿を光学的に読み取って、この読取結果を表す読取画像データを、ＲＡＭ４５に保存する。
【００５０】
そして、操作部３７を通じてファクシミリ送信指示が入力されると、ＲＡＭ４５に保存された上記読取画像データを、送信先電話番号の情報を含むファクシミリデータに変換すると共に、このファクシミリデータを暗号化してなる暗号化データを、ＷＬＡＮ通信部３４を通じて、通信ＢＯＸ１０に送信する。また、暗号化データの送信に伴っては、表示部３９に暗号化データを復号化するための復号キーを表示させる処理を行う。尚、表示部３９に表示された復号キーは、ユーザの入力操作によりコードレス電話機５０に入力されて、このコードレス電話機５０を通じ、通信ＢＯＸ１０に送信される。
【００５１】
また、コードレス電話機５０は、音声入出力部５１と、通信ＢＯＸ１０が備えるＤＣＬ通信部１５と無線通信可能な通信インタフェースであるＤＣＬ通信部５５と、操作キー群を備えてユーザ操作可能な入力インタフェースとして機能する操作部５７と、液晶ディスプレイ等で構成される表示部５９と、制御部６０とを備える。
【００５２】
音声入出力部５１は、ユーザの発話音声を集音するためのマイクロフォンを備えると共に、外部電話装置５から通信ＢＯＸ１０を介して送信されてくる外部電話装置５を使用するユーザの発話音声及び呼出音等を出力するためのスピーカを備える。
【００５３】
また、制御部６０は、マイクロコンピュータ（図示せず）を備え、当該マイクロコンピュータにて各種プログラムを実行することにより、コードレス電話機５０全体を統括制御する構成にされている。この制御部６０は、通信ＢＯＸ１０から復号キーを受信すると、これを表示部５９に表示させる。また、操作部５７を通じて復号キー入力画面の表示指示が入力されると、表示部５９に復号キー入力画面を表示させ、操作部５７を通じた操作により復号キーが入力されると、入力された復号キーを、ＤＣＬ通信部５５を通じて、通信ＢＯＸ１０に送信する。
【００５４】
尚、本実施例の通信システム１において、ＷＬＡＮ通信部１４，３４は、周知の無線ＬＡＮ規格（ＩＥＥＥ８０２．１１ｘ）により直接拡散方式にて無線通信を行うものである。一方、ＤＣＬ通信部１５，５５は、独自仕様（独自プロトコル）で無線通信を行う構成にされている。具体的に、ＤＣＬ通信部１５，５５は、本実施例において、周波数ホッピング方式により通信を行う構成にされている。
（２）ＦＡＸ受信時の処理
続いて、通信システム１において実行されるＦＡＸ受信時の処理について説明する。図２は、ＦＡＸ受信時に、通信ＢＯＸ１０、複合機３０及びコードレス電話機５０の夫々で実行される処理の概要、並びに、通信ＢＯＸ１０、複合機３０及びコードレス電話機５０間で送受信される信号を表したラダーチャートである。
【００５５】
また、図３は、通信ＢＯＸ１０の制御部２０が外部ファクシミリ装置３から送信されてくるファクシミリデータを処理するために繰返し実行する受信対応処理を表すフローチャートであり、図４は、複合機３０の制御部４０が繰返し実行する転送受付処理を表すフローチャートであり、図５は、コードレス電話機５０の制御部６０が繰返し実行するキー受信表示処理を表すフローチャートである。
（２−１）受信対応処理
通信ＢＯＸ１０の制御部２０は、図３に示す受信対応処理を繰返し実行することにより、外部ファクシミリ装置３から送信されてくるファクシミリデータをＲＡＭ２５に保存し、ユーザからの転送指示に従って、ＲＡＭ２５に保存されたファクシミリデータを、複合機３０に転送する。
【００５６】
具体的に、この受信対応処理を実行すると、制御部２０は、ＦＡＸモデム１２を通じて外部ファクシミリ装置３からファクシミリデータを受信しているか否かを判断し（Ｓ１１０）、ファクシミリデータを受信していない場合には（Ｓ１１０でＮｏ）、Ｓ１３０に移
行する。一方、ファクシミリデータを受信している場合には（Ｓ１１０でＹｅｓ）、Ｓ１２０に移行して、受信したファクシミリデータをＲＡＭ２５に保存した後、Ｓ１３０に移行する。
【００５７】
Ｓ１３０に移行すると、制御部２０は、操作部１７を通じてユーザからファクシミリデータの複合機３０への転送指示が入力されたか否かを判断し、転送指示が入力されていない場合（Ｓ１３０でＮｏ）には、当該受信対応処理を一旦終了する。
【００５８】
一方、転送指示が入力されている場合には（Ｓ１３０でＹｅｓ）には、Ｓ１４０に移行し、操作部１７を通じてユーザから指示された転送対象のファクシミリデータをＲＡＭ２５から読み出し、このファクシミリデータを、ランダムに生成した暗号キーに基づいて暗号化することにより、ファクシミリデータを暗号化データに変換すると共に、この暗号化データを復号化するための復号キーを生成する。尚、本実施例において、暗号キー及び復号キーの組は、Ｓ１４０での実行毎に、ランダムに生成されるものとする。
【００５９】
また、この処理を終えると、制御部２０は、Ｓ１５０に移行し、Ｓ１４０で生成した暗号化データのデータサイズを表す信号であってファクシミリデータを送信しても良いか否かを問い合わせるファクシミリデータ送信許可問合せを、ＷＬＡＮ通信部１４を通じて、複合機３０に送信する。
【００６０】
Ｓ１５０の処理により、ファクシミリデータ送信許可問合せを送信すると、正常に無線ＬＡＮ通信可能な状態においては、複合機３０から応答信号が送信されてくる。
制御部２０は、ファクシミリデータ送信許可問合せの送信後、この応答信号を受信するまで待機し、所定時間応答信号を受信することができなかった場合には（Ｓ１５１でＮｏ）、リトライ処理を所定回実行したか否かを判断し（Ｓ１５３）、所定回実行していないと判断すると（Ｓ１５３でＮｏ）、Ｓ１５０に移行して、リトライ処理を実行する。即ち、リトライ処理として、再度、ファクシミリデータ送信許可問合せを、ＷＬＡＮ通信部１４を通じて、複合機３０に送信する処理を実行する。
【００６１】
一方、リトライ処理を所定回実行したと判断すると（Ｓ１５３でＹｅｓ）、制御部２０は、エラーメッセージを、表示部１９に表示させて（Ｓ１５５）、当該受信対応処理を一旦終了する。
【００６２】
この他、所定時間以内に応答信号を受信することができた場合（Ｓ１５１でＹｅｓ）、制御部２０は、上記複合機３０から受信した応答信号が、ファクシミリデータ送信許可通知であるか否かを判断する（Ｓ１５７）。尚、複合機３０からは、応答信号として、ファクシミリデータの送信を許可する旨のファクシミリデータ送信許可通知の他、メモリが一杯でファクシミリデータを受け取ることができない旨のメモリフル通知が送信されてくる。
【００６３】
制御部２０は、ここで、上記受信した応答信号がファクシミリデータ送信許可通知であると判断すると（Ｓ１５７でＹｅｓ）、Ｓ１６０に移行し、応答信号がメモリフル通知であると判断すると（Ｓ１５７でＮｏ）、Ｓ１５５に移行して、エラーメッセージを表示部１９に表示させた後、当該受信対応処理を一旦終了する。
【００６４】
Ｓ１６０に移行すると、制御部２０は、Ｓ１４０で生成した暗号化データを、ＷＬＡＮ通信部１４を通じて複合機３０に送信する。尚、このようにして暗号化データを送信すると、正常に無線ＬＡＮ通信可能な状態においては、複合機３０から暗号化データの受信が完了した旨の応答信号であるファクシミリデータ受信完了通知が送信されてくる。
【００６５】
制御部２０は、暗号化データの送信後、このファクシミリデータ受信完了通知を受信するまで待機し、ファクシミリデータ受信完了通知を受信することができなかった場合には（Ｓ１６１でＮｏ）、リトライ処理を所定回実行したか否かを判断する（Ｓ１６３）。そして、所定回実行していないと判断すると（Ｓ１６３でＮｏ）、Ｓ１６０に移行し、リトライ処理を実行する。即ち、リトライ処理として、再度、暗号化データを、ＷＬＡＮ通信部１４を通じて、複合機３０に送信する処理を実行する。
【００６６】
一方、リトライ処理を所定回実行したと判断すると（Ｓ１６３でＹｅｓ）、エラーメッセージを、表示部１９に表示させて（Ｓ１６５）、当該受信対応処理を一旦終了する。
この他、ファクシミリデータ受信完了通知を受信することができた場合（Ｓ１６１でＹｅｓ）、制御部２０は、Ｓ１７０に移行し、Ｓ１４０で生成した復号キーを、ＤＣＬ通信部１５を通じてコードレス電話機５０に送信する。Ｓ１７０の処理により、復号キーを送信すると、正常通信可能な状態においては、コードレス電話機５０から復号キーの受信が完了した旨の応答信号である復号キー受信完了通知が送信されてくる。
【００６７】
従って、制御部２０は、復号キーの送信後、この復号キー受信完了通知を受信するまで待機し、復号キー受信完了通知を受信することができなかった場合には（Ｓ１７１でＮｏ）、リトライ処理を所定回実行したか否かを判断する（Ｓ１７３）。そして、所定回実行していないと判断すると（Ｓ１７３でＮｏ）、Ｓ１７０に移行し、リトライ処理を実行する。
【００６８】
一方、リトライ処理を所定回実行したと判断すると（Ｓ１７３でＹｅｓ）、エラーメッセージを、表示部１９に表示させて（Ｓ１７５）、当該受信対応処理を一旦終了する。
この他、復号キー受信完了通知を受信することができた場合（Ｓ１７１でＹｅｓ）、制御部２０は、Ｓ１８０に移行し、ファクシミリデータの転送が正常完了したことを表す完了メッセージを、表示部１９に表示させて、当該受信対応処理を終了する。
（２−２）転送受付処理
続いて、複合機３０の制御部４０が実行する転送受付処理について説明する。複合機３０の制御部４０は、図４に示す転送受付処理を繰返し実行することにより、通信ＢＯＸ１０から転送されてくるファクシミリデータを受け付けて、ＲＡＭ４５に保存する。
【００６９】
この転送受付処理を開始すると、制御部４０は、ＷＬＡＮ通信部３４を通じて通信ＢＯＸ１０からファクシミリデータ送信許可問合せを受信するまで待機し（Ｓ２１０）、ファクシミリデータ送信許可問合せを受信すると（Ｓ２１０でＹｅｓ）、Ｓ２２０に移行する。
【００７０】
そして、Ｓ２２０では、ファクシミリデータ送信許可問合せが示すデータサイズの情報に基づき、通信ＢＯＸ１０が送信しようとしている暗号化データを受信してＲＡＭ４５に保存する等、後続のＳ２３０〜Ｓ２９５までの処理を完了するのに十分な空き容量が、ＲＡＭ４５に存在するか否かを判断する。
【００７１】
そして、十分な空き容量がないと判断すると（Ｓ２２０でＮｏ）、上記メモリフル通知を、ＷＬＡＮ通信部３４を通じて、ファクシミリデータ送信許可問合せの送信元である通信ＢＯＸ１０に送信し（Ｓ２２５）、当該転送受付処理を一旦終了する。
【００７２】
一方、十分な空き容量があると判断すると（Ｓ２２０でＹｅｓ）、制御部４０は、上記ファクシミリデータ送信許可通知を、ＷＬＡＮ通信部３４を通じて、ファクシミリデータ
送信許可問合せの送信元である通信ＢＯＸ１０に送信する（Ｓ２３０）。
【００７３】
また、ファクシミリデータ送信許可通知を送信すると、制御部４０は、通信ＢＯＸ１０から送信されてくる暗号化データの受信待機状態に移行し、暗号化データを、ＷＬＡＮ通信部３４を通じて通信ＢＯＸ１０から受信する（Ｓ２４０）。
【００７４】
そして、暗号化データを正常に受信することができた場合には（Ｓ２５０でＹｅｓ）、上記ファクシミリデータ受信完了通知を、ＷＬＡＮ通信部３４を通じて、暗号化データの送信元である通信ＢＯＸ１０に送信した後（Ｓ２６０）、Ｓ２７０に移行する。
【００７５】
一方、リトライ処理によっても通信ＢＯＸ１０から正常に上記暗号化データを受信することができない場合には（Ｓ２５０でＮｏ）、表示部３９にエラーメッセージを表示させて（Ｓ２５５）、当該転送受付処理を一旦終了する。
【００７６】
この他、Ｓ２７０に移行すると、制御部４０は、復号キー入力画面を、表示部３９に表示させ、復号キーが操作部３７を通じて入力されるか、操作部３７を通じてキャンセル操作がなされるまで待機する（Ｓ２７１，Ｓ２７３）。
【００７７】
そして、キャンセル操作がなされると（Ｓ２７３でＹｅｓ）、Ｓ２４０で受信した暗号化データを破棄して（Ｓ２７７）、当該転送受付処理を一旦終了する。
これに対し、操作部３７を通じて復号キーが入力されると、制御部４０は、入力された復号キーを用いて上記暗号化データの復号化を試みる（Ｓ２７５）。そして、暗号化データを正常に復号化することができた場合には（Ｓ２８０でＹｅｓ）、暗号化データを復号化して得られるファクシミリデータを、ＲＡＭ４５に保存して（Ｓ２９０）、ファクシミリデータを保存した旨の完了メッセージを、表示部３９に表示させる（Ｓ２９５）。その後、当該転送受付処理を一旦終了する。
【００７８】
この他、暗号化データを正常に復号化することができなかった場合には（Ｓ２８０でＮｏ）、表示部３９に、エラーメッセージを表示させて（Ｓ２８５）、Ｓ２７０に移行する。これによって、ユーザに対し、正しい復号キーの入力を求める。
（２−３）転送受付処理
続いて、図５を用いて、コードレス電話機５０の制御部６０が繰返し実行するキー受信表示処理について説明する。
【００７９】
このキー受信表示処理を開始すると、制御部６０は、ＤＣＬ通信部５５を通じて通信ＢＯＸ１０から復号キーを受信するまで待機し（Ｓ３１０）、復号キーを受信すると、上記復号キー受信完了通知を、ＤＣＬ通信部５５を通じて、復号キーの送信元である通信ＢＯＸ１０に送信する（Ｓ３２０）。また、この処理を終えると、上記受信した復号キーを、表示部５９に表示し（Ｓ３３０）、当該キー受信表示処理を終了する。
【００８０】
但し、Ｓ３３０では、上記受信した復号キーを表示出力するのに代えて、復号キーを音声出力することにより、ユーザに対して復号キーを報知してもよい。具体的には、呼出音を出力し、ユーザが操作部５７を通じて呼出に応答する操作を行った時点で、音声入出力部５１を通じて復号キーを繰返し音声出力するといった具合である。但し、復号キーが悪意のものに知られてしまうのを回避するため、復号キーは、小さい音量で音声出力されるのが好ましい。
【００８１】
本実施例では、このようにしてコードレス電話機５０を通じてユーザに復号キーを報知し、ユーザに、この復号キーを複合機３０に入力させることにより、通信ＢＯＸ１０から
複合機３０に送信された暗号化データを復号化して、複合機３０のＲＡＭ４５に保存する。このようにしてＲＡＭ４５に保存されたファクシミリデータは、ユーザの印刷指示に従って、複合機３０により印刷出力される。
（３）ＦＡＸ送信時の処理
続いて、通信システム１において実行されるＦＡＸ送信時の処理について説明する。図６は、ＦＡＸ送信時に、通信ＢＯＸ１０、複合機３０及びコードレス電話機５０の夫々で実行される処理の概要、並びに、通信ＢＯＸ１０、複合機３０及びコードレス電話機５０間で送受信される信号を表したラダーチャートである。
【００８２】
また、図７は、操作部３７を通じてファクシミリ送信指示が入力されると、複合機３０の制御部４０が実行するファクシミリデータ転送処理を表すフローチャートであり、図８は、復号キー入力画面の表示指示が操作部５７を通じて入力されると、コードレス電話機５０の制御部６０が実行するキー入力受付処理を表すフローチャートである。また、図９は、通信ＢＯＸ１０の制御部２０が複合機３０から転送されてくるファクシミリデータを外部ファクシミリ装置３にファクシミリ送信するために実行する転送受付処理を表すフローチャートである。
（３−１）ファクシミリデータ転送処理
複合機３０の制御部４０は、操作部３７を通じてファクシミリ送信指示が入力されると、図７に示すファクシミリデータ転送処理を開始する。そして、送信指示された原稿の読取結果を表す読取画像データを、送信指示と共に指定された送信先電話番号の情報を含むファクシミリデータ（ＦＡＸ送信用の画像データ）に変換する（Ｓ４１０）。
【００８３】
また、この処理を終えると、制御部４０は、上記ファクシミリデータを、ランダムに生成した暗号キーを用いて暗号化することにより、暗号化データに変換すると共に、上記暗号化データを復号化するための復号キーを生成する（Ｓ４２０）。尚、本実施例において、暗号キー及び復号キーの組は、Ｓ４２０での実行毎に、ランダムに生成される。
【００８４】
Ｓ４２０での処理を終えると、制御部４０は、上記生成した暗号化データのデータサイズを表す信号であってファクシミリデータを送信しても良いか否かを問い合わせるファクシミリデータ送信許可問合せを、ＷＬＡＮ通信部３４を通じて、通信ＢＯＸ１０に送信する（Ｓ４３０）。
【００８５】
このファクシミリデータ送信許可問合せの送信後、制御部４０は、通信ＢＯＸ１０からＷＬＡＮ通信部３４を通じて応答信号を受信するまで待機し（Ｓ４３１）、所定時間待機しても応答信号を受信することができなかった場合には（Ｓ４３１でＮｏ）、リトライ処理を所定回実行したか否かを判断する（Ｓ４３３）。そして、所定回実行していないと判断すると（Ｓ４３３でＮｏ）、Ｓ４３０に移行して、リトライ処理を実行する。
【００８６】
一方、リトライ処理を所定回実行したと判断すると（Ｓ４３３でＹｅｓ）、エラーメッセージを、表示部３９に表示させて（Ｓ４３５）、当該ファクシミリデータ転送処理を終了する。
【００８７】
この他、所定時間以内に応答信号を受信することができた場合には（Ｓ４３１でＹｅｓ）、ＷＬＡＮ通信部３４を通じて通信ＢＯＸ１０から受信した応答信号が、ファクシミリデータ送信許可通知であるか否かを判断する（Ｓ４３７）。
【００８８】
制御部４０は、ここで、受信した応答信号がファクシミリデータ送信許可通知であると判断すると（Ｓ４３７でＹｅｓ）、Ｓ４４０に移行し、受信した応答信号がメモリフル通知であると判断すると（Ｓ４３７でＮｏ）、Ｓ４３５に移行して、エラーメッセージを表示部３９に表示させた後、当該ファクシミリデータ転送処理を終了する。
【００８９】
また、Ｓ４４０に移行すると、制御部４０は、Ｓ４２０で生成した暗号化データを、ＷＬＡＮ通信部３４を通じて通信ＢＯＸ１０に送信する。
制御部４０は、この暗号化データの送信後、このファクシミリデータ受信完了通知を受信するまで待機し（Ｓ４４１）、ファクシミリデータ受信完了通知を受信することができなかった場合には（Ｓ４４１でＮｏ）、リトライ処理を所定回実行したか否かを判断する（Ｓ４４３）。そして、所定回実行していないと判断すると（Ｓ４４３でＮｏ）、Ｓ４４０に移行し、リトライ処理を実行する。
【００９０】
一方、リトライ処理を所定回実行したと判断すると（Ｓ４４３でＹｅｓ）、エラーメッセージを、表示部３９に表示させて（Ｓ４４５）、当該ファクシミリデータ転送処理を終了する。
【００９１】
この他、ファクシミリデータ受信完了通知を受信することができた場合（Ｓ４４１でＹｅｓ）、制御部４０は、Ｓ４５０に移行して、Ｓ４２０で生成した復号キーを、表示部３９に表示した後、当該ファクシミリデータ転送処理を終了する。
（３−２）キー入力受付処理
続いて、操作部５７を通じて復号キー入力画面の表示指示が入力されると、コードレス電話機５０の制御部６０が実行するキー入力受付処理（図８参照）について説明する。
【００９２】
このキー入力受付処理を開始すると、制御部６０は、上記表示指示に従って、復号キー入力画面を、表示部５９に表示させ（Ｓ５１０）、復号キーが操作部５７を通じて入力されるか、操作部５７を通じてキャンセル操作がなされるまで待機する（Ｓ５２０，Ｓ５３０）。
【００９３】
そして、キャンセル操作がなされると（Ｓ５３０でＹｅｓ）、当該キー入力受付処理を終了する。一方、操作部５７を通じて復号キーが入力されると（Ｓ５２０でＹｅｓ）、当該入力された復号キーを、ＤＣＬ通信部５５を通じて通信ＢＯＸ１０に送信する（Ｓ５４０）。
【００９４】
Ｓ５４０の処理により、復号キーを送信すると、正常通信可能な状態においては、通信ＢＯＸ１０から応答信号が送信されてくる。従って、制御部６０は、復号キーの送信後、ＤＣＬ通信部５５を通じて応答信号を受信するまで待機し（Ｓ５４１）、応答信号を受信することができなかった場合には（Ｓ５４１でＮｏ）、リトライ処理を所定回実行したか否かを判断する（Ｓ５４３）。そして、所定回実行していないと判断すると（Ｓ５４３でＮｏ）、Ｓ５４０に移行し、リトライ処理を実行する。
【００９５】
一方、リトライ処理を所定回実行したと判断すると（Ｓ５４３でＹｅｓ）、エラーメッセージを、表示部５９に表示させて（Ｓ５４５）、当該キー入力受付処理を終了する。
この他、応答信号を受信することができた場合（Ｓ５４１でＹｅｓ）、制御部６０は、受信した応答信号が、復号キー受信完了通知であるか否かを判断する（Ｓ５５０）。尚、通信ＢＯＸ１０からは、上記応答信号として、復号キーの受信が完了した旨の応答信号である復号キー受信完了通知、又は、受け取った復号キーでは、暗号化データを正常に復号化できない旨の応答信号である復号エラー通知が送信されてくる。
【００９６】
そして、受信した応答信号が上記復号キー受信完了通知であると判断すると（Ｓ５５０でＹｅｓ）、表示部５９に、復号キーの受付を完了した旨の完了メッセージを表示させて（Ｓ５５５）、当該キー入力受付処理を終了する。
【００９７】
一方、受信した応答信号が、復号エラー通知であると判断すると（Ｓ５５０でＮｏ）、制御部６０は、正しい復号キーを入力するように求めるエラーメッセージを、表示部５９に表示させた後（Ｓ５６０）、Ｓ５１０に移行する。
【００９８】
このようにして、コードレス電話機５０は、ユーザを通じて、複合機３０の表示部３９に表示された復号キーを取得し、この復号キーをＤＣＬ通信部５５を通じて、通信ＢＯＸ１０に入力する。
（３−３）転送受付処理
続いて、図９を用いて、通信ＢＯＸ１０の制御部２０が繰返し実行する転送受付処理について説明する。
【００９９】
この転送受付処理を実行すると、制御部２０は、ＷＬＡＮ通信部１４を通じて複合機３０からファクシミリデータ送信許可問合せを受信するまで待機し（Ｓ６１０）、ファクシミリデータ送信許可問合せを受信すると（Ｓ６１０でＹｅｓ）、Ｓ６２０に移行する。
【０１００】
また、Ｓ６２０に移行すると、ファクシミリデータ送信許可問合せが示すデータサイズの情報に基づき、複合機３０が送信しようとしている暗号化データを受信して外部ファクシミリ装置３に送信するまでの一連の処理（Ｓ６３０〜Ｓ６９５の処理）を実行するのに十分な空き容量がＲＡＭ２５にあるか否かを判断する。
【０１０１】
そして、十分な空き容量がないと判断すると（Ｓ６２０でＮｏ）、上記メモリフル通知を、ＷＬＡＮ通信部１４を通じて、ファクシミリデータ送信許可問合せの送信元である複合機３０に送信し（Ｓ６２５）、当該転送受付処理を一旦終了する。
【０１０２】
一方、十分な空き容量があると判断すると（Ｓ６２０でＹｅｓ）、上記ファクシミリデータ送信許可通知を、ファクシミリデータ送信許可問合せの送信元である複合機３０に送信する（Ｓ６３０）。
【０１０３】
また、ファクシミリデータ送信許可通知を送信すると、制御部２０は、複合機３０から送信されてくる暗号化データの受信待機状態に移行し、暗号化データを、ＷＬＡＮ通信部１４を通じて複合機３０から受信して、ＲＡＭ２５に一時記憶する（Ｓ６４０）。
【０１０４】
そして、暗号化データを正常に受信することができた場合には（Ｓ６５０でＹｅｓ）、上記ファクシミリデータ受信完了通知を、ＷＬＡＮ通信部１４を通じて、暗号化データの送信元である複合機３０に送信した後（Ｓ６６０）、Ｓ６７０に移行する。
【０１０５】
一方、リトライ処理によっても複合機３０から正常に上記暗号化データを受信することができない場合には（Ｓ６５０でＮｏ）、表示部１９にエラーメッセージを表示させて（Ｓ６５５）、当該転送受付処理を一旦終了する。
【０１０６】
この他、Ｓ６７０に移行すると、制御部２０は、ＤＣＬ通信部１５を通じてコードレス電話機５０から復号キーを受信するか、操作部１７を通じてキャンセル操作がなされるまで待機する（Ｓ６７０，Ｓ６７５）。
【０１０７】
そして、キャンセル操作がなされると（Ｓ６７５でＹｅｓ）、Ｓ６４０で受信した暗号化データを破棄して（Ｓ６７７）、当該転送受付処理を一旦終了する。
これに対し、ＤＣＬ通信部１５を通じてコードレス電話機５０から復号キーを受信すると、制御部２０は、受信した復号キーを用いて暗号化データの復号化を試みる（Ｓ６８０
）。
【０１０８】
そして、暗号化データを正常に復号化することができた場合には（Ｓ６８１でＹｅｓ）、復号キー送信元のコードレス電話機５０に復号キー受信完了通知を、ＤＣＬ通信部１５を通じて送信する（Ｓ６９０）。そして、上記暗号化データを復号化して得られたファクシミリデータであってＳ６８０の処理によりＲＡＭ２５に一時記憶されたファクシミリデータを、ＲＡＭ２５から読み出し、このファクシミリデータを、当該ファクシミリデータが示す送信先電話番号に対応する外部ファクシミリ装置３に、ＦＡＸモデム１２及びＮＣＵ１１を通じて、ファクシミリ送信する（Ｓ６９５）。その後、当該転送受付処理を一旦終了する。
【０１０９】
一方、暗号化データを正常に復号化することができなかった場合（Ｓ６８１でＮｏ）、制御部２０は、Ｓ６８５に移行して、復号エラー通知を、ＤＣＬ通信部１５を通じて、復号キー送信元のコードレス電話機５０に送信する。その後、Ｓ６７０に移行する。
（４）効果等
以上、本実施例の通信システム１の構成及び動作について説明したが、この通信システム１では、ＤＣＬ通信部１５，５５を通じて、周波数ホッピング方式を採用した独自プロトコルにより、送信ＢＯＸ１０−コードレス電話機５０間で、暗号化データを復号化するための復号キーを授受する。このため、復号キーの漏洩を強固に防止することができる。また、この結果として、送信ＢＯＸ１０−複合機３０間で無線ＬＡＮ規格により送受信される暗号化データが漏洩しても、暗号化データが解読される可能性を小さくすることができる。
【０１１０】
また、この通信システム１では、暗号化データの生成毎に、個別の復号キーを生成するので、復号キーとして固定のキーを用いる場合よりも、復号キーの漏洩を強固に防止することができる。
【０１１１】
この他、本実施例の通信システム１では、持ち運び可能なコードレス電話機５０を通じて、ユーザに復号キーを報知し、更には、ユーザから復号キーの情報を取得するようにしている。従って、ユーザは、ＦＡＸ送信時に、通信ＢＯＸ１０の設置場所まで移動して復号キーを入力する必要がないし、ＦＡＸ受信時に、複合機３０の前で、コードレス電話機５０に表示された復号キーを見ながら、復号キーを、簡単に複合機３０に入力することができる。
【０１１２】
よって、本実施例の通信システム１によれば、復号キーの入力操作を簡単にすることができて、利便性高く、且つ、守秘性高く、通信ＢＯＸ１０−複合機３０間でファクシミリデータを送受信することができる。
【０１１３】
また、この結果、本実施例によれば、実用的に、通信ＢＯＸ１０−複合機３０間のデータ通信を無線化することができて、従来よりも、複合機３０の設置自由度を高めることができ、利便性の高い複合機３０を提供することができる。
【０１１４】
また、本実施例では、無線ＬＡＮ規格で、ファクシミリデータを通信ＢＯＸ１０から複合機３０に守秘性高く送信することができるので、例えば、通信ＢＯＸ１０は、ファクシミリデータを複合機３０と共に、無線ＬＡＮに接続されたユーザのパーソナルコンピュータ等に送信するように、構成されてもよい。この場合、ユーザは、ファクシミリデータを、パーソナルコンピュータ内で、紙媒体ではなく電子データとして管理することができ、利便性が向上する。即ち、本実施例では、ファクシミリデータの通信路として無線ＬＡＮを採用することにより、通信ＢＯＸ１０及び複合機３０を既存の無線ＬＡＮに組み込むことができて、利便性の高いサービスを、ユーザに提供することができる。
（５）対応関係
以上に説明した本実施例の通信システム１と「特許請求の範囲」との対応関係は、次の通りである。請求項１記載の通信システムにおける送信装置は、ＦＡＸ受信時の通信ＢＯＸ１０に対応し、第一の受信装置は、複合機３０に対応し、第二の受信装置は、コードレス電話機５０に対応する。また、第一送信手段は、ＷＬＡＮ通信部１４に対応し、第二送信手段は、ＤＣＬ通信部１５に対応する。また、暗号化手段は、制御部２０が実行するＳ１４０の処理により実現され、第一送信制御手段は、Ｓ１６０の処理により実現され、第二送信制御手段は、Ｓ１７０の処理により実現されている。
【０１１５】
また、第一の受信装置が備える受信手段は、ＷＬＡＮ通信部３４に対応し、キー取得手段は、操作部３７を通じて復号キーを取得するＳ２７０〜Ｓ２７３の処理により実現され、復号化手段は、Ｓ２７５の処理により実現されている。また、データ記憶手段は、Ｓ２９０及びＲＡＭ２５により実現されている。
【０１１６】
この他、第二の受信装置が備える受信手段は、ＤＣＬ通信部５５に対応し、報知手段は、表示部５９及び音声入出力部５１及び制御部６０が実行するＳ３３０の処理により実現されている。
【０１１７】
また、請求項２記載の通信システムにおける第一の送信装置は、ＦＡＸ送信時の複合機３０に対応し、第二の送信装置は、コードレス電話機５０に対応し、受信装置は、通信ＢＯＸ１０に対応する。また、第一の送信装置が備える送信手段は、ＷＬＡＮ通信部３４に対応し、暗号化手段は、制御部４０が実行するＳ４２０の処理に対応し、送信制御手段は、Ｓ４４０の処理に対応し、報知手段は、制御部４０が実行するＳ４５０の処理により実現されている。
【０１１８】
また、第二の送信装置が備える送信手段は、ＤＣＬ通信部５５に対応し、キー取得手段は、操作部５７及びＳ５１０〜Ｓ５３０の処理に対応し、送信制御手段は、制御部６０が実行するＳ５４０の処理により実現されている。
【０１１９】
この他、受信装置が備える第一受信手段は、ＷＬＡＮ通信部１４に対応し、第二受信手段は、ＤＣＬ通信部１５に対応し、復号化手段は、制御部２０が実行するＳ６８０の処理により実現され、データ記憶手段は、Ｓ６８０における復号化後データをＲＡＭ２５へ一時記憶する動作及びＲＡＭ２５に対応する。また、ファクシミリ通信手段は、ＦＡＸモデム１２に対応し、ファクシミリ送信制御手段は、制御部２０が実行するＳ６９５の処理により実現されている。
（６）変形例
続いて、変形例の通信システム１００について説明する。但し、変形例の通信システム１００は、上記実施例の通信システム１を構成する複合機３０とコードレス電話機５０とを一体化した程度のものである（図１０参照）。即ち、通信ＢＯＸ１０は、コードレス電話機５０に代えて複合機１３０を通信相手に、ＤＣＬ通信部１５を通じて復号キー等の信号を送受信する点を除き、通信システム１と同一構成である。従って、以下では、通信ＢＯＸ１０についての説明を省略し、複合機１３０の構成について、上記通信システム１とは異なる構成を選択的に説明する。
【０１２０】
図１０は、変形例の通信システム１００の構成を表すブロック図である。図１０に示すように、変形例の通信システム１００は、通信ＢＯＸ１０と、複合機１３０と、を備え、複合機１３０は、読取部３１と、印刷部３２と、ＷＬＡＮ通信部３４と、ＤＣＬ通信部１３５と、操作部３７と、表示部３９と、ハンドセット１３７と、呼出音出力用のスピーカ１３９と、制御部４０と、を備える。即ち、複合機１３０は、ＷＬＡＮ通信部３４を通じて、通信ＢＯＸ１０と無線通信可能な構成にされると共に、ＤＣＬ通信部１３５を通じて
、通信ＢＯＸ１０と無線通信可能な構成にされている。
【０１２１】
図１１（ａ）は、この通信システム１００におけるＦＡＸ受信時の通信態様を表す説明図であり、図１１（ｂ）は、通信システム１００におけるＦＡＸ送信時の通信態様を表す説明図である。
【０１２２】
図１１（ａ）に示すように、この通信システム１００では、ＦＡＸ受信時に受信されたファクシミリデータが、暗号化されて、通信ＢＯＸ１０のＷＬＡＮ通信部１４から、複合機１３０に送信されると共に、この暗号化データを復号化するための復号キーが、通信ＢＯＸ１０のＤＣＬ通信部１５から、複合機１３０に送信される。
【０１２３】
そして、複合機１３０では、ＷＬＡＮ通信部３４で受信された暗号化データが、ＤＣＬ通信部１３５で受信された復号キーにより復号化され、復号化後のファクシミリデータが、ＲＡＭ４５に保存される。
【０１２４】
一方、ＦＡＸ送信時には、図１１（ｂ）に示すように、複合機１３０のＷＬＡＮ通信部３４から送信対象のファクシミリデータが暗号化されて通信ＢＯＸ１０に送信され、この暗号化データを復号化するための復号キーが、複合機１３０のＤＣＬ通信部１３５から、通信ＢＯＸ１０に送信される。
【０１２５】
具体的に、この変形例において、複合機１３０の制御部４０は、図４の転送受付処理に代えて、図１２に示す転送受付処理を実行することにより、ＦＡＸ受信時において上記動作を実現する。
【０１２６】
図１２に示す転送受付処理を開始すると、制御部４０は、上述の実施例と同様に、Ｓ２１０〜Ｓ２６０の処理を実行する。そして、Ｓ２６０で、ファクシミリデータ受信完了通知を、ＷＬＡＮ通信部３４を通じて通信ＢＯＸ１０に送信すると、Ｓ７１０以降の処理を実行する。
【０１２７】
Ｓ７１０に移行すると、制御部４０は、通信ＢＯＸ１０から送信されてくる復号キーの受信待機状態に移行し、復号キーを、ＤＣＬ通信部１３５を通じて通信ＢＯＸ１０から受信する。
【０１２８】
そして、復号キーの受信に成功すると（Ｓ７２０でＹｅｓ）、復号キーの送信元である通信ＢＯＸ１０に、ＤＣＬ通信部１３５を通じて、復号キー受信完了通知を送信すると共に（Ｓ７３０）、上記受信した復号キーを用いて、Ｓ２４０で受信した通信ＢＯＸ１０からの暗号化データを復号化し、当該復号化により得られるファクシミリデータを、ＲＡＭ４５に保存する。その後、ファクシミリデータを保存した旨の完了メッセージを、表示部３９に表示させて、当該転送受付処理を、一旦終了する。
【０１２９】
一方、復号キーが通信ＢＯＸ１０から所定時間待っても送信されてこず、復号キーの受信に失敗すると（Ｓ７２０でＮｏ）、制御部４０は、Ｓ７２５に移行し、表示部３９に、エラーメッセージを表示させた後、当該転送受付処理を一旦終了する。
【０１３０】
続いて、ＦＡＸ送信時に、複合機１３０の制御部４０が実行するファクシミリデータ転送処理について説明する。図１３は、複合機１３０の制御部４０が、操作部３７を通じてファクシミリ送信指示が入力されると、図７のファクシミリデータ転送処理に代えて、実行する変形例のファクシミリデータ転送処理を表すフローチャートである。
【０１３１】
図１３に示すファクシミリデータ転送処理を開始すると、制御部４０は、上述の実施例
と同様に、Ｓ４１０〜Ｓ４４５の処理を実行する。そして、通信ＢＯＸ１０からファクシミリデータ受信完了通知を受信すると（Ｓ４４１でＹｅｓ）、Ｓ８１０に移行し、ＤＣＬ通信部１３５を通じて、Ｓ４４０で送信した暗号化データを復号化するための復号キーを、通信ＢＯＸ１０に送信する（Ｓ８１０）。尚、Ｓ８１０の処理により、復号キーを送信すると、正常通信可能な状態においては、通信ＢＯＸ１０から復号キー受信完了通知が送信されてくる。
【０１３２】
従って、制御部４０は、復号キーの送信後、ＤＣＬ通信部１３５を通じて復号キー受信完了通知を受信するまで待機し（Ｓ８２０）、復号キー受信完了通知を受信することができなかった場合には（Ｓ８２０でＮｏ）、リトライ処理を所定回実行したか否かを判断する（Ｓ８３０）。そして、所定回実行していないと判断すると（Ｓ８３０でＮｏ）、Ｓ８１０に移行し、リトライ処理を実行する。
【０１３３】
一方、リトライ処理を所定回実行したと判断すると（Ｓ８３０でＹｅｓ）、制御部４０は、エラーメッセージを、表示部３９に表示させて（Ｓ８４０）、当該ファクシミリデータ転送処理を終了する。
【０１３４】
この他、復号キー受信完了通知を受信することができた場合（Ｓ８５０でＹｅｓ）、制御部４０は、表示部３９に、ファクシミリデータの転送が完了した旨の完了メッセージを表示させ（Ｓ８５０）、当該ファクシミリデータ転送処理を終了する。
【０１３５】
以上、変形例の通信システム１００について説明したが、変形例によれば、ユーザにとって復号キーの入力操作が必要ないので、利便性が向上する。尚、変形例と「特許請求の範囲」との対応関係は、次の通りである。即ち、請求項３記載の通信システムにおける送信装置は、ＦＡＸ受信時の通信ＢＯＸ１０又はＦＡＸ送信時の複合機１３０に対応し、請求項３記載の通信システムにおける受信装置は、ＦＡＸ受信時の複合機１３０又はＦＡＸ送信時の通信ＢＯＸ１０に対応する。また、第一送信手段及び第一受信手段は、ＷＬＡＮ通信部１４，３４に対応し、第二送信手段及び第二受信手段は、ＤＣＬ通信部１５，１３５に対応する。
（７）その他
以上、変形例を含む本発明の実施例について説明したが、本発明は、上記実施例に限定されるものではなく、種々の態様を採ることができる。例えば、本発明の通信システムは、ファクシミリデータを送受信するシステムに限らず、種々のデータを送受信するシステムに適用することができる。
【符号の説明】
【０１３６】
１，１００…通信システム、３…外部ファクシミリ装置、５…外部電話装置、１１…ＮＣＵ、１２…ＦＡＸモデム、１４，３４…ＷＬＡＮ通信部、１５，５５，１３５…ＤＣＬ通信部、１７，３７，５７…操作部、１９，３９，５９…表示部、２０，４０，６０…制御部、２１，４１…ＣＰＵ、２３，４３…ＲＯＭ、２５，４５…ＲＡＭ、３０，１３０…ディジタル複合機、３１…読取部、３２…印刷部、５０…コードレス電話機、５１…音声入出力部、１３７…ハンドセット、１３９…スピーカ
【図１】
2010239451.tif 000003
【図２】
2010239451.tif 000004
【図３】
2010239451.tif 000005
【図４】
2010239451.tif 000006
【図５】
2010239451.tif 000007
【図６】
2010239451.tif 000008
【図７】
2010239451.tif 000009
【図８】
2010239451.tif 000010
【図９】
2010239451.tif 000011
【図１０】
2010239451.tif 000012
【図１１】
2010239451.tif 000013
【図１２】
2010239451.tif 000014
【図１３】
2010239451.tif 000015